(57)【要約】【課題】    犬や猫等のペットの蚤を捕るための道具で、櫛と蚤捕獲容器を用いる蚤取り具において、蚤を捕獲し、捕獲した蚤に逃げられないようにして、捕獲した蚤を全て殺虫できる蚤取り具を作る。【解決手段】櫛と蚤捕獲容器を用いる、蚤取り具において、蚤を梳きだす手段である櫛と蚤捕獲容器の間に、回転ドラムとかえしをつけて蚤を捕獲し、捕獲した蚤に逃げられないようにし、捕獲した蚤を蚤捕獲容器ごと水の中に没入して、捕獲した蚤を全て殺虫する。【選択図】  図１
2007097562.tif 000002
【特許請求の範囲】
【請求項１】
回転ドラムは櫛の歯の全幅と同じ幅にし、回転ドラムを取りつけた回転軸をアームに取りつけ、アームは蚤捕獲容器に取りつけ、回転ドラムに逆転防止歯車を取りつけ、スプリングに取りつけた逆転防止片と逆転防止歯車を組み合わせて回転ドラムが一方向だけに回転するようにし、かえしの先端を回転ドラムに向けて一列又は複数列のかえしを蚤捕獲容器に取りつけ、一列のかえしは一枚のかえしで構成されても良いが、一列のかえしは複数個のかえしで構成されても良く、櫛本体に蚤捕獲容器を取りつけ、蚤が逃げられない程度の透き間をかえしの先端と回転ドラムの間にあけ、回転ドラムと櫛の歯との間は少し透き間をあけ、又は、回転ドラムと櫛の歯は完全に密着させ、蚤捕獲容器に開閉できる扉を蝶番を介して取りつけ、扉と蚤捕獲容器は接続具で接続した、以上の事を特徴とする蚤取り具。
【請求項２】
複数の帯状のかえしを間隔をあけて横一列に並べたものを複数列にした、又は、複数の帯状のかえしを間隔をあけずに横一列に並べたもの、又は、櫛の歯の幅と同じ幅の一枚の帯状のかえし、又は、帯状のかえしをカーブさせた、又は、帯状のかえしに溝をつけた、以上の事を特徴とする蚤取り具。
【請求項３】
円形又は多角形の針状のものをかえしとして横一列に並べた、又は、円形又は多角形の針状のものをかえしとして横一列に並べたものを複数列にした、又は、櫛の歯と平行になるように先端を斜めに切った円形又は多角形の針状のかえし、又は、円形又は多角形の針状のかえしをカーブさせた、以上の事を特徴とする蚤取り具。
【請求項４】
請求項２に記載のかえし及び請求項３に記載のかえしを組み合わせて使用した、以上の事を特徴とする蚤取り具。
【請求項５】
回転ドラムは、表面に横溝のある回転ドラム、表面に縦溝のある回転ドラム、表面に斜溝のある回転ドラム、表面に交差溝のある回転ドラム、表面が平らな回転ドラム、表面に角状の凹凸がある回転ドラム、表面に球状や波状の丸い凹凸がある回転ドラム、表面に円溝のある回転ドラム、又は、表面に放射状に並べたピンでできた回転ドラム、以上の事を特徴とする蚤取り具。
【発明の詳細な説明】
【技術分野】
【０００１】  本発明は、犬や猫等のペットの蚤を取るための道具に関する技術分野である。
【背景技術】
【０００２】  現在発明されている蚤取り具は、不完全なものが多い。家庭用の掃除機等の吸引器具に接続して、蚤を吸引して捕獲する動物用ブラシ（例えば、特許文献１参照。）。犬や猫等のペットの大多数は、掃除機の吸引音やモーターの回転音が大変苦手である。この特許文献１の動物用ブラシを犬や猫等のペットに使用するのは大変難しい。殺虫剤と電気を併用した、動物用殺虫櫛（例えば、特許文献２参照。）。この動物用殺虫櫛は、害虫防除剤を使用するため、犬や猫等のペットに悪影響を及ぼし、電気は、蚤が仮死状態になるだけで、時間が経つと生き返る事が多く、維持費もかかる。また、かえしがついていないので、捕獲した蚤が逃げ出してしまう。捕獲用カバーをスライドさせて、受板とカバー本体の後部とに囲まれる部分に、梳き取った蚤を寄せ集める蚤取り器（例えば、特許文献３参照。）。この蚤取り器は、捕獲用カバーにかえしがついていないので、捕獲した蚤が逃げ出してしまう。同様に、上下方向に揺動する蚤取り器（例えば、特許文献４参照。）。この蚤取り器にも、かえしがないので、捕獲した蚤が逃げ出してしまう。
【特許文献１】  登録第３００４６５２号公報
【特許文献２】  特開平９−２０５９１９号公報
【特許文献３】  実開平７−３４６４９号公報
【特許文献４】  特開平１０−６６４６８号公報
【発明の開示】
【発明が解決しようとする課題】
【０００３】  蚤を捕獲し、捕獲した蚤に逃げられないようにして、殺虫する、蚤取り具を作る。
【課題を解決するための手段】
【０００４】  櫛と蚤捕獲容器を用いる、蚤取り具において、櫛と蚤捕獲容器の間に、回転ドラムを取りつけ、回転ドラムにかえしを取りつけて、捕獲した蚤に逃げられないようにする。かえしは、一列又は複数列を取り付ける。
【発明の効果】
【０００５】  例えば、漁具の一種に筌がある。筌とは、細かい割竹を編んで、筒または底無し徳利の形に造り、入った魚が出られないように口に漏斗状などのかえしをつけたものである。このかえしに阻まれて魚は逃げ出す事ができない。同様に、蚤取り具において、櫛と蚤捕獲容器の間に、回転ドラムを取りつけ、回転ドラムにかえしを取りつけると、捕獲された蚤は、回転ドラムとかえしに阻まれて逃げる事ができず、捕獲した蚤を蚤捕獲容器ごと水の中に没入することによって、捕獲した蚤を全て殺虫できる。
【発明の実施するための最良の形態】
【０００６】  発明の実施するための最良の形態を図面を参照して説明する。
図１において、回転ドラムＨは、蚤を梳きだす手段の櫛の歯ａの全幅と同じ幅である。回転ドラムを取りつける弾力性のあるアームＪに回転軸Ｉを取りつける。回転軸Ｉに回転ドラムＨを取りつける。蚤捕獲容器ＢにアームＪを取りつける。回転ドラムＨに逆転防止歯車Ｋを取りつける。スプリングＬに取りつけた逆転防止片Ｍと逆転防止歯車Ｋを組み合わせて、回転ドラムＨが一方向だけに回転するようにする。かえしＤの先端を回転ドラムＨに向けて、一列又は複数列のかえしＤを蚤捕獲容器Ｂに取りつける。一列のかえしＤは一枚のかえしＤで構成されても良いが、一列のかえしＤは複数個のかえしＤで構成されても良い。櫛本体Ａに蚤捕獲容器Ｂを取りつける。回転ドラムＨと櫛の歯ａとの間は少し透き間をあけ、又は、回転ドラムＨと櫛の歯ａは完全に密着させる。入った蚤が逃げられない程度の透き間をかえしＤの先端と回転ドラムＨとの間にあける。蚤捕獲容器Ｂに蚤やゴミ等を取り出すために開閉できる扉Ｃを蝶番Ｆを介して取りつけ、扉Ｃと蚤捕獲容器Ｂは接続具Ｅで接続した。以上の事を特徴とする蚤取り具である。
【０００７】  図２において、蚤捕獲容器Ｂに取りつけた扉Ｃは開く事ができ、蚤やゴミ等を取り出す事ができる、以上の事を特徴とする蚤取り具である。
【０００８】  図３において、回転ドラムＨに取り付ける、逆転防止歯車ＫとスプリングＬ及び逆転防止片Ｍの側面図である。スプリングＬに取りつけた逆転防止片Ｍと逆転防止歯車Ｋを組み合わせて、回転ドラムＨが一方向だけに回転する事ができる、以上の事を特徴とする蚤取り具である。
【０００９】  かえしは、超軟性ゴム、軟性ゴム、弾力のある金属、弾力のあるプラスチック、弾力のある樹脂、弾力のある竹、弾力のある木、樹皮、皮革、獣毛、化学繊維又は天然繊維等で作る事ができる、以上の事を特徴とする蚤取り具である。
【００１０】  図４において、複数の帯状のかえしｄ１を間隔をあけて横一列に並べたものを複数列にした、以上の事を特徴とする蚤取り具である。
【００１１】  図５において、複数の帯状のかえしｄ２を間隔をあけずに横一列に並べた、以上の事を特徴とする蚤取り具である。
【００１２】  図６において、かえしｄ３は櫛の歯の幅で一枚の帯状にした、以上の事を特徴とする蚤取り具である。
【００１３】  図７において、かえしｄ４は帯状のかえしをカーブさせた、以上の事を特徴とする蚤取り具である。
【００１４】  図８において、かえしｄ５は帯状のかえしの表面に溝Ｎをつけた、以上の事を特徴とする蚤取り具である。
【００１５】  図９において、かえしｄ６は円形又は多角形の針状のものをかえしとして横一列に並べた、以上の事を特徴とする蚤取り具である。
【００１６】  図１０において、かえしｄ７は円形又は多角形の針状のものをかえしとして横一列に並べたものを複数列にした、以上の事を特徴とする蚤取り具である。
【００１７】  図１１において、かえしｄ８は先端を斜めに切った円形又は多角形の針状のもの、以上の事を特徴とする蚤取り具である。
【００１８】  図１２において、かえしｄ９は円形又は多角形の針状のものをカーブさせた、以上の事を特徴とする蚤取り具である。
【００１９】  回転ドラムは、ゴム、金属、プラスチック、樹脂、竹、木、獣毛、化学繊維又は天然繊維等で作る事ができる、以上の事を特徴とする蚤取り具である。
【００２０】  図１３において、表面に横溝のある回転ドラム、以上の事を特徴とする蚤取り具である。
【００２１】  図１４において、表面に縦溝のある回転ドラム、以上の事を特徴とする蚤取り具である。
【００２２】  図１５おいて、表面に斜溝のある回転ドラム、以上の事を特徴とする蚤取り具である。
【００２３】  図１６において、表面に交差溝のある回転ドラム、以上の事を特徴とする蚤取り具である。
【００２４】  図１７において、表面に円溝のある回転ドラム、以上の事を特徴とする蚤取り具である。
【００２５】  図１８において、表面に放射状に並べたピンでできた回転ドラムの側面図であり、ピンは、超軟性ゴム、軟性ゴム、弾力のある金属、弾力のあるプラスチック、弾力のある樹脂、弾力のある竹、弾力のある木、獣毛、化学繊維又は天然繊維等で作る事ができる、以上の事を特徴とする蚤取り具である。
【００２６】  図１９において、表面が平らな回転ドラム、以上の事を特徴とする蚤取り具である。
【００２７】  図２０において、表面に角状の凹凸がある回転ドラム、以上の事を特徴とする蚤取り具である。
【００２８】  図２１において、表面に球状や波状の丸い凹凸がある回転ドラム、以上の事を特徴とする蚤取り具である。
【実施例１】
【００２９】  発明の実施例を図面参照して説明する。
図１において、蚤を梳きだす手段の櫛の歯ａは金属で作り、大きさは幅６１ｍｍ、長さ２７ｍｍ、厚さ２ｍｍである。回転ドラムＨはプラスチックで作り、大きさは蚤を梳きだす手段の櫛の歯ａの全幅と同じで、幅６１ｍｍ、太さは直径１０ｍｍである。アームＪは弾力性のある金属で作り、大きさは長さ７ｍｍ、幅２．５ｍｍ、厚さ１ｍｍである。アームＪに、直径１．５ｍｍの回転軸Ｉを取りつける。回転軸Ｉに回転ドラムＨを取りつける。蚤捕獲容器Ｂはプラスチックで作り、大きさは幅６７．５ｍｍ、奥行き３７．５ｍｍ、厚さ１５ｍｍである。蚤捕獲容器Ｂに、アームＪを取りつける。逆転防止歯車Ｋは、金属で作り、大きさは直径６ｍｍ、厚さ１．３ｍｍである。回転ドラムＨに、逆転防止歯車Ｋを取りつける。スプリングＬは、弾力性のある金属で作り、大きさは長さ５ｍｍ、幅１．３ｍｍ、厚さ０．５ｍｍである。逆転防止片Ｍは、弾力性のある金属で作り、大きさは長さ１．５ｍｍ、厚さ１．５ｍｍの三角形で幅が１．３ｍｍである。スプリングＬに取りつけた、逆転防止片Ｍと逆転防止歯車Ｋを組み合わせて、回転ドラムＨが一方向だけに回転するようにする。かえしＤは、超軟性ゴムで作り、大きさは高さ７ｍｍ、底辺１．５ｍｍの三角形で、幅が６１ｍｍである。かえしＤの先端を回転ドラムＨに向けて、二列のかえしＤ，Ｇを蚤捕獲容器Ｂに取りつける。櫛本体Ａは、金属で作り、大きさは幅６１ｍｍ、奥行き３６ｍｍ、厚さ２ｍｍである。扉Ｃは、プラスチックで作り、大きさは幅５７ｍｍ、奥行き１４ｍｍ、厚さ１５ｍｍである。櫛本体Ａに蚤捕獲容器Ｂを取りつける。入った蚤が逃げられない程度の透き間をかえしＤの先端と回転ドラムＨとの間にあける。櫛の歯ａと回転ドラムＨを密着する。蚤捕獲容器Ｂに蚤やゴミ等を取り出すために開閉できる扉Ｃを蝶番Ｆを介して取りつけ、扉Ｃと蚤捕獲容器Ｂはフックを用いた接続具Ｅで接続した。以上の事を特徴とする蚤取り具である。【００３０】  図２において、蚤捕獲容器Ｂに取りつけた扉Ｃは開く事ができ、蚤やゴミ等を取り出す事ができる、以上の事を特徴とする蚤取り具である。【００３１】  図３において、回転ドラムＨに取り付ける、逆転防止歯車ＫとスプリングＬ及び逆転防止片Ｍの側面図である。スプリングＬが左右に動く事で、逆転防止片Ｍが左右に動き、逆転防止歯車Ｋは、一方向だけに回転する、以上の事を特徴とする蚤取り具である。
【実施例２】
【００３２】  図４において、かえしは、超軟性ゴムで作り、大きさは幅１０ｍｍ、厚さ２ｍｍ、高さ８ｍｍである。このかえしｄ１を５ｍｍの間隔をあけて横一列に並べたものを、１ｍｍの間隔をあけて２列にした、以上の事を特徴とする蚤取り具である。
【実施例３】
【００３３】  図５において、複数の帯状のかえしｄ２は、プラスチックで作り、大きさは幅３ｍｍ、厚さ１ｍｍ、高さ８ｍｍである。このかえしｄ２を間隔をあけずに横一列に並べた、以上の事を特徴とする蚤取り具である。
【実施例４】
【００３４】  図６において、かえしｄ３は櫛の歯の幅で一枚の帯状にしたもので、櫛の歯の全幅に、超軟性ゴムで作り、大きさは厚さ１．５ｍｍ、高さ８ｍｍにした、以上の事を特徴とする蚤取り具である。
【実施例５】
【００３５】  図７において、大きさは幅５０ｍｍ、厚さ２ｍｍ、高さ８ｍｍで、プラスチックで作った、帯状のかえしｄ４を半径１５ｍｍの円弧にカーブさせた、以上の事を特徴とする蚤取り具である。
【実施例６】
【００３６】  図８において、大きさは幅５０ｍｍ、厚さ２ｍｍ、高さ８ｍｍで、プラスチックで作った、かえしｄ５の表面に深さ０．１ｍｍの溝Ｎを２ｍｍ間隔につけた、以上の事を特徴とする蚤取り具である。
【実施例７】
【００３７】  図９において、大きさは直径０．５ｍｍ、長さ１０ｍｍで、金属で作った、円形の針状のかえしｄ６を０．３ｍｍの間隔をあけて横一列に並べた、以上の事を特徴とする蚤取り具である。
【実施例８】
【００３８】  図１０において、大きさは直径０．５ｍｍ、長さ１０ｍｍで、金属で作った、円形の針状のかえしｄ７を０．３ｍｍの間隔をあけて横一列に並べ、０．１ｍｍの間隔をあけて２列にした、以上の事を特徴とする蚤取り具である。
【実施例９】
【００３９】  図１１において、大きさは直径０．７ｍｍ、長さ１２ｍｍで、プラスチックで作り、先端を４５°の斜めに切った、円形の針状のかえしｄ８、以上の事を特徴とする蚤取り具である。
【実施例１０】
【００４０】  図１２において、大きさは直径１ｍｍ、長さ１２ｍｍで、プラスチックで作り、円形の針状のものを半径２５ｍｍの円弧にカーブさせた、かえしｄ９、以上の事を特徴とする蚤取り具である。
【実施例１１】
【００４１】  図１３において、大きさは幅６１ｍｍ、太さは直径１０ｍｍで、ゴムで作り、表面に深さ０．３ｍｍの横溝が１ｍｍ間隔で掘ってある回転ドラム、以上の事を特徴とする蚤取り具である。
【実施例１２】
【００４２】  図１４において、大きさは幅６１ｍｍ、太さは直径１０ｍｍで、金属で作り、表面に深さ０．３ｍｍの縦溝が１．５ｍｍ間隔で掘ってある回転ドラム、以上の事を特徴とする蚤取り具である。
【実施例１３】
【００４３】  図１５おいて、大きさは幅６１ｍｍ、太さは直径１０ｍｍで、プラスチックで作り、表面に深さ０．３ｍｍの斜溝が１ｍｍ間隔で掘ってある回転ドラム、以上の事を特徴とする蚤取り具である。
【実施例１４】
【００４４】  図１６において、大きさは幅６１ｍｍ、太さは直径１０ｍｍで、木で作り、表面に深さ０．３ｍｍの９０°に交差する直線の交差溝が１．５ｍｍ間隔で掘ってある回転ドラム、以上の事を特徴とする蚤取り具である。
【実施例１５】
【００４５】  図１７において、大きさは幅６１ｍｍ、太さは直径１０ｍｍで、プラスチックで作り、表面に直径１ｍｍで、深さ０．３ｍｍの円溝が１．２ｍｍ間隔で掘ってある回転ドラム、以上の事を特徴とする蚤取り具である。
【実施例１６】
【００４６】  図１８において、大きさは幅６１ｍｍ、太さは直径１０ｍｍで、毛先を放射状に並べた獣毛で作った回転ドラム、以上の事を特徴とする蚤取り具である。
【実施例１７】
【００４７】  図１９において、大きさは幅６１ｍｍ、太さは直径１０ｍｍで、化学繊維で作り、表面が平らな回転ドラム、以上の事を特徴とする蚤取り具である。
【実施例１８】
【００４８】  図２０において、大きさは幅６１ｍｍ、太さは直径１０ｍｍで、ゴムで作り、表面に凹の幅が１ｍｍ、凸の幅が１ｍｍ、深さが０．３ｍｍの角状の凹凸がある回転ドラム、以上の事を特徴とする蚤取り具である。
【実施例１９】
【００４９】  図２１において、大きさは幅６１ｍｍ、太さは直径１０ｍｍで、プラスチックで作り、表面に半径０．３ｍｍの半球状の丸い凹凸がある回転ドラム、以上の事を特徴とする蚤取り具である。
【産業上の利用可能性】
【００５０】  総務省統計局の平成１７年５月１日現在の人口推計概算値は、１億２７５８万人である。例えば、本発明の蚤取り櫛を５％の人が１年に１本購入すると、６３７万本の販売が見込める。本発明のブラシの売価を１本１０００円とすると、総売上は約６３億７千万円となり、その３０％が利益とすると、純利益金は約１９億円である。
【図面の簡単な説明】
【００５１】
【図１】本発明の実施例を示す、正面図と側面図の断面図である。
【図２】本発明の実施例を示す、扉Ｃを開いた状態の断面図である。
【図３】本発明の実施例を示す、回転ドラムの逆転を防ぐための逆転防止歯車Ｋと逆転防止具Ｍ及びスプリングＬの関係を示す断面図である。
【図４】本発明の実施例を示す、帯状のかえしの平面図と立面図である。
【図５】本発明の実施例を示す、帯状のかえしの平面図と立面図である。
【図６】本発明の実施例を示す、帯状のかえしの平面図と立面図である。
【図７】本発明の実施例を示す、帯状のかえしの平面図と側面図である。
【図８】本発明の実施例を示す、帯状のかえしの平面図と側面図である。
【図９】本発明の実施例を示す、針状のかえしの平面図と立面図である。
【図１０】本発明の実施例を示す、針状のかえしの平面図と立面図である。
【図１１】本発明の実施例を示す、針状のかえしの正面図と側面図である。
【図１２】本発明の実施例を示す、針状のかえしの正面図と側面図である。
【図１３】本発明の実施例を示す、回転ドラムの回転面の部分の表面図である。
【図１４】本発明の実施例を示す、回転ドラムの回転面の部分の表面図である。
【図１５】本発明の実施例を示す、回転ドラムの回転面の部分の表面図である。
【図１６】本発明の実施例を示す、回転ドラムの回転面の部分の表面図である。
【図１７】本発明の実施例を示す、回転ドラムの回転面の部分の表面図である。
【図１８】本発明の実施例を示す、回転ドラムの側面図である。
【図１９】本発明の実施例を示す、回転ドラムの側面図である。
【図２０】本発明の実施例を示す、回転ドラムの側面図とその部分拡大図である。
【図２１】本発明の実施例を示す、回転ドラムの側面図とその部分拡大図である。
【符号の説明】
【００５２】Ａ：櫛本体。
ａ：櫛の歯。
Ｂ：蚤捕獲容器。
Ｃ：扉。
Ｄ，Ｇ，ｄ１，ｄ２，ｄ３，ｄ４，ｄ５，ｄ６，ｄ７，ｄ８，ｄ９：かえし。
Ｅ：接続具。
Ｆ：蝶番。
Ｈ：回転ドラム。
Ｉ：回転軸。
Ｊ：アーム。
Ｋ：逆転防止歯車。
Ｌ：スプリング。
Ｍ：逆転防止片。
Ｎ：溝。
Ｐ：表面に横溝のある回転ドラム。
Ｑ：表面に縦溝のある回転ドラム。
Ｒ：表面に斜溝のある回転ドラム。
Ｓ：表面に交差溝のある回転ドラム。
Ｔ：表面に円溝のある回転ドラム。
Ｕ：表面に放射状に並べたピンでできた回転ドラム。
Ｖ：表面が平らな回転ドラム。
Ｗ：表面に角状の凹凸がある回転ドラム。
Ｙ：表面に丸状の凹凸がある回転ドラム。
【図１】
2007097562.tif 000003
【図２】
2007097562.tif 000004
【図３】
2007097562.tif 000005
【図４】
2007097562.tif 000006
【図５】
2007097562.tif 000007
【図６】
2007097562.tif 000008
【図７】
2007097562.tif 000009
【図８】
2007097562.tif 000010
【図９】
2007097562.tif 000011
【図１０】
2007097562.tif 000012
【図１１】
2007097562.tif 000013
【図１２】
2007097562.tif 000014
【図１３】
2007097562.tif 000015
【図１４】
2007097562.tif 000016
【図１５】
2007097562.tif 000017
【図１６】
2007097562.tif 000018
【図１７】
2007097562.tif 000019
【図１８】
2007097562.tif 000020
【図１９】
2007097562.tif 000021
【図２０】
2007097562.tif 000022
【図２１】
2007097562.tif 000023
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
回転ドラムは櫛の歯の全幅と同じ幅にし、回転ドラムを取りつけた回転軸をアームに取りつけ、アームは蚤捕獲容器に取りつけ、回転ドラムに逆転防止歯車を取りつけ、スプリングに取りつけた逆転防止片と逆転防止歯車を組み合わせて回転ドラムが一方向だけに回転するようにし、かえしの先端を回転ドラムに向けて一列又は複数列のかえしを蚤捕獲容器に取りつけ、一列のかえしは一枚のかえしで構成されても良いが、一列のかえしは複数個のかえしで構成されても良く、櫛本体に蚤捕獲容器を取りつけ、蚤が逃げられない程度の透き間をかえしの先端と回転ドラムの間にあけ、回転ドラムと櫛の歯との間は少し透き間をあけ、又は、回転ドラムと櫛の歯は完全に密着させ、蚤捕獲容器に開閉できる扉を蝶番を介して取りつけ、扉と蚤捕獲容器は接続具で接続した、以上の事を特徴とする蚤取り具。